(57)【要約】【課題】吸収性本体の非肌対向面側に配置された弾性部材によって吸収性本体を身体にフィットさせ易い吸収性物品を提供する。【解決手段】吸収性物品（１０）は、吸収性本体（４０）と、前胴回り域に配置された外装体（１５）と、外装体に配置された幅方向に伸縮可能な弾性部材（６５）と、を有する。吸収性本体の前後方向の外端部には、吸収性本体と外装体が接合されていない本体非接合領域が設けられている。弾性部材は、厚さ方向において本体非接合領域に重なって配置された第１弾性部（６１）を有し、外端部において、本体非接合領域の幅方向の収縮力は、本体非接合領域の外端縁から前後方向の外側に延びる隣接領域の幅方向の収縮力よりも高い。【選択図】図３
2019118471.tif 000002
【特許請求の範囲】
【請求項１】
前後方向と、
前記前後方向に直交する幅方向と、
前胴回り域と、
後胴回り域と、
前記前胴回り域と前記後胴回り域との間に配置された股下域と、
吸収コアを有し、かつ前記股下域、前記前胴回り域及び前記後胴回り域に跨がって配置された吸収性本体と、
前記吸収性本体の非肌対向面側において少なくとも前記前胴回り域及び前記後胴回り域に配置された外装体と、
前記外装体に配置された前記幅方向に伸縮可能な弾性部材と、を有する吸収性物品であって、
前記吸収性本体の前記前後方向の外端部には、前記吸収性本体と前記外装体が接合されていない本体非接合領域が設けられており、
前記弾性部材は、厚さ方向において前記本体非接合領域に重なって配置された第１弾性部を有し、
前記外端部において、前記本体非接合領域の前記幅方向の収縮力は、前記本体非接合領域の外端縁から前記前後方向の外側に延びる隣接領域の前記幅方向の収縮力よりも高い、吸収性物品。
【請求項２】
前記本体非接合領域の少なくとも一部は、前記吸収コアと前記前後方向において重なって配置されている、請求項１に記載の吸収性物品。
【請求項３】
前記吸収性本体は、前記吸収コアの前記幅方向の全長を３等分した領域であって前記吸収コアの前記幅方向の中央に位置する中央領域を有し、
前記本体非接合領域は、前記中央領域と前記前後方向において重なって配置されている、請求項２に記載の吸収性物品。
【請求項４】
前記本体非接合領域は、前記吸収コアの前記幅方向の全域と前記前後方向において重なって配置されている、請求項２又は請求項３に記載の吸収性物品。
【請求項５】
前記本体非接合領域の前記股下域側の端縁は、厚さ方向の平面視にて前記吸収コアに重ならないように配置されている、請求項１にから請求項４のいずれか１項に記載の吸収性物品。
【請求項６】
前記弾性部材は、前記本体非接合領域よりも股下域側かつ前記吸収コアよりも前記前後方向の外側に配置された第２弾性部を有し、
前記第２弾性部は、前記股下域側に湾曲している、請求項５に記載の吸収性物品。
【請求項７】
前記第１弾性部は、前記前後方向に間隔を空けて複数設けられている、請求項１から請求項５のいずれか１項に記載の吸収性物品。
【請求項８】
前記第１弾性部のうち最も収縮力が高い第１弾性部は、前記厚さ方向において前記吸収コアに重ならないように配置されている、請求項７に記載の吸収性物品。
【請求項９】
前記吸収性本体は、前記吸収コアよりも前記前後方向の外側に延びる複数のシート材を有し、
前記吸収性本体の前記外端部には、少なくとも２枚のシート材同士が接合されていないシート非接合領域が設けられており、
前記シート非接合領域、前記本体非接合領域、及び前記第１弾性部は、前記外端部において前記厚さ方向において重なって配置されている、請求項１から請求項８のいずれか１項に記載の吸収性物品。
【請求項１０】
前記外装体は、複数の外装シートを有し、
前記吸収性本体の外端縁よりも前記前後方向の外側には、前記外装シートのうち少なくとも２枚の外装シート同士が接合されていない外装非接合領域が設けられており、
前記外装非接合領域、前記本体非接合領域、及び前記第１弾性部は、前記外端部において前記厚さ方向において重なって配置されている、請求項１から請求項９のいずれか１項に記載の吸収性物品。
【請求項１１】
前記外端部には、前記吸収性本体と前記外装体を接合した本体接合領域が前記本体非接合領域よりも前記幅方向の外側に設けられており、
前記弾性部材は、前記厚さ方向において前記本体接合領域に重なって配置された第３弾性部を有し、
前記第３弾性部は、前記股下域側に湾曲している、請求項１から請求項１０のいずれか１項に記載の吸収性物品。
【発明の詳細な説明】
【技術分野】
【０００１】
本発明は、使い捨ておむつ等の吸収性物品に関する。
【背景技術】
【０００２】
特許文献１に記載された吸収性物品は、吸収性本体と、吸収性本体の非肌対向面側に配置された外装体と、を有する。吸収性本体は、吸収コアと、吸収コアよりも前後方向の外側に延びる複数の本体シートを有する。外装体は、複数の外装シートと、外装シートの間に配置され、かつ幅方向に伸縮する弾性部材と、を有する。
【先行技術文献】
【特許文献】
【０００３】
【特許文献１】特開２０１６−３４３４１号公報
【発明の概要】
【０００４】
特許文献１の吸収性物品の弾性部材は、吸収性本体の非肌対向面側に配置されている。弾性部材の収縮によって吸収性本体が身体にフィットする。しかし、吸収性本体が配置された領域は、外装体のみが配置された領域と比較してシートの数が多く、剛性が高くなり易い。よって、弾性部材によって吸収性本体が身体に十分にフィットしないおそれがあった。
【０００５】
そこで、吸収性本体の非肌対向面側に配置された弾性部材によって吸収性本体を身体にフィットさせ易い吸収性物品が望まれる。
【課題を解決するための手段】
【０００６】
一態様に係る吸収性物品は、前後方向と、前記前後方向に直交する幅方向と、前胴回り域と、後胴回り域と、前記前胴回り域と前記後胴回り域との間に配置された股下域と、吸収コアを有し、かつ前記股下域、前記前胴回り域及び前記後胴回り域に跨がって配置された吸収性本体と、前記吸収性本体の非肌対向面側において少なくとも前記前胴回り域及び前記後胴回り域に配置された外装体と、前記外装体に配置された前記幅方向に伸縮可能な弾性部材と、を有する吸収性物品であって、前記吸収性本体の前記前後方向の外端部には、前記吸収性本体と前記外装体が接合されていない本体非接合領域が設けられており、前記弾性部材は、厚さ方向において前記本体非接合領域に重なって配置された第１弾性部を有し、前記外端部において、前記本体非接合領域の前記幅方向の収縮力は、前記本体非接合領域の外端縁から前記前後方向の外側に延びる隣接領域の前記幅方向の収縮力よりも高い。
【図面の簡単な説明】
【０００７】
【図１】実施形態に係る吸収性物品の正面図である。
【図２】実施形態に係る吸収性物品の平面図である。
【図３】図２に示す吸収性物品のＡ−Ａ断面に沿った断面図である。
【図４】図２に示す吸収性物品のＢ−Ｂ断面に沿った断面図である。
【図５】実施形態に係る吸収性物品の装着状態の断面を模式的に示した図である。
【発明を実施するための形態】
【０００８】
（１）実施形態の概要
本明細書及び添付図面の記載により、少なくとも以下の事項が明らかとなる。
一態様に係る吸収性物品は、前後方向と、前記前後方向に直交する幅方向と、前胴回り域と、後胴回り域と、前記前胴回り域と前記後胴回り域との間に配置された股下域と、吸収コアを有し、かつ前記股下域、前記前胴回り域及び前記後胴回り域に跨がって配置された吸収性本体と、前記吸収性本体の非肌対向面側において少なくとも前記前胴回り域及び前記後胴回り域に配置された外装体と、前記外装体に配置された前記幅方向に伸縮可能な弾性部材と、を有する吸収性物品であって、前記吸収性本体の前記前後方向の外端部には、前記吸収性本体と前記外装体が接合されていない本体非接合領域が設けられており、前記弾性部材は、厚さ方向において前記本体非接合領域に重なって配置された第１弾性部を有し、前記外端部において、前記本体非接合領域の前記幅方向の収縮力は、前記本体非接合領域の外端縁から前記前後方向の外側に延びる隣接領域の前記幅方向の収縮力よりも高い。
【０００９】
本体非接合領域は、吸収性本体と外装体が接合された領域と比較して剛性が低い。当該本体非接合領域に重なるように第１弾性部が配置されているため、第１弾性部の収縮によって吸収性本体が収縮し易い。また、本体非接合領域の前記幅方向の収縮力が隣接領域の前記幅方向の収縮力よりも高く、本体非接合領域は、隣接領域よりも収縮し、身体にフィットし易い。本体非接合領域が収縮し易いことにより、本体非接合領域が設けられた吸収性本体の外端部を身体にフィットさせることができる。
【００１０】
好ましい一態様によれば、前記本体非接合領域の少なくとも一部は、前記吸収コアと前記前後方向において重なって配置されている。
【００１１】
吸収コアと前後方向において重なって配置される領域は、吸収コアの剛性によって収縮し難くなり易い。当該領域の少なくとも一部に本体非接合領域を設けることにより、吸収コアによる影響を抑制しつつ吸収性本体の外端部を身体にフィットさせることができる。
【００１２】
好ましい一態様によれば、前記吸収性本体は、前記吸収コアの前記幅方向の全長を３等分した領域であって前記吸収コアの幅方向の中央に位置する中央領域を有し、前記本体非接合領域は、前記中央領域と前記前後方向において重なって配置されている。
【００１３】
吸収コアの幅方向の中央領域は、脚によって挟まれた際等に力が集中し易く、中央領域と前後方向において重なって配置される領域は、吸収コアの剛性によって収縮し難くなり易い。当該領域の少なくとも一部に本体非接合領域を設けることにより、吸収性本体の外端部を、吸収コアによる影響を抑制しつつ身体にフィットさせることができる。
【００１４】
好ましい一態様によれば、前記本体非接合領域は、前記吸収コアの前記幅方向の全域と前記前後方向において重なって配置されている。
【００１５】
吸収コアの幅方向と前後方向に重なって配置される領域に本体非接合領域を設けることにより吸収性本体の外端部を、吸収コアによる影響を抑制しつつ身体にフィットさせることができる。
【００１６】
好ましい一態様によれば、前記本体非接合領域の前記股下域側の端縁は、厚さ方向の平面視にて前記吸収コアに重ならないように配置されている。
【００１７】
本体非接合領域は、吸収コアの影響を受け難く、幅方向により収縮し易くなる。第１弾性部の伸縮によって吸収性本体の外端部がより身体にフィットし易くなる。
【００１８】
好ましい一態様によれば、前記弾性部材は、前記本体非接合領域よりも股下域側かつ前記吸収コアよりも前記前後方向の外側に配置された第２弾性部を有し、前記第２弾性部は、前記股下域側に湾曲している。
【００１９】
第２弾性部によって吸収性本体の外端部を胴回り開口側に引き上げることができる。吸収性本体を胴回り開口側に引き上げることにより、吸収性物品が引き下がり難く、フィット性を維持し易くなる。本体非接合領域及び第２弾性部を前胴回り域に設けた構成にあっては、着用者の腹部の膨らみに対して吸収性物品を引き上げることができ、腹部を覆い続け易くなる。
【００２０】
好ましい一態様によれば、前記第１弾性部は、前記前後方向に間隔を空けて複数設けられている。
【００２１】
複数の第１弾性部によって当該第１弾性部が配置された領域全体を身体にフィットさせることができる。１本の第１弾性部によって身体にフィットさせる構成と比較して、局所的に密着し難くなり、肌への当たりを和らげることができる。
【００２２】
好ましい一態様によれば、前記第１弾性部のうち最も収縮力が高い第１弾性部は、前記厚さ方向において前記吸収コアに重ならないように配置されている。
【００２３】
最も収縮力が高い第１弾性部は、吸収コアに重なってなく、吸収コアの剛性によって収縮性を阻害され難い。よって、最も収縮力が高い第１弾性部の収縮によって吸収性本体の外端部を身体によりフィットさせ易い。
【００２４】
好ましい一態様によれば、前記吸収性本体は、前記吸収コアよりも前記前後方向の外側に延びる複数のシート材を有し、前記吸収性本体の外端部には、少なくとも２枚のシート材同士が接合されていないシート非接合領域が設けられており、前記シート非接合領域、前記本体非接合領域、及び前記第１弾性部は、前記外端部において前記厚さ方向において重なって配置されている。
【００２５】
シート非接合領域、本体非接合領域、及び第１弾性部が重なって配置されているため、第１弾性部が配置された領域の剛性がより低くなり、第１弾性部がより収縮し易くなる。よって、吸収性本体の外端部を体によりフィットさせ易い。
【００２６】
好ましい一態様によれば、前記外装体は、複数の外装シートを有し、前記吸収性本体の外端縁よりも前記前後方向の外側には、前記外装シートのうち少なくとも２枚の外装シート同士が接合されていない外装非接合領域が設けられており、前記外装非接合領域、前記本体非接合領域、及び前記第１弾性部は、前記外端部において前記厚さ方向において重なって配置されている。
【００２７】
外装非接合領域、本体非接合領域、及び第１弾性部が重なって配置されているため、第１弾性部が配置された領域の剛性がより低くなり、第１弾性部がより収縮し易くなる。よって、吸収性本体の外端部を体によりフィットさせ易い。
【００２８】
好ましい一態様によれば、前記外端部には、前記吸収性本体と前記外装体を接合した本体接合領域が前記本体非接合領域よりも前記幅方向の外側に設けられており、前記弾性部材は、前記厚さ方向において前記本体接合領域に重なって配置された第３弾性部を有し、前記第３弾性部は、前記股下域側に湾曲している。
【００２９】
本体接合領域に重なる第３弾性部が股下域側に湾曲しているため、第３弾性部によって外装体を引き上げ、かつこの第３弾性部による引き上げる力を吸収性本体にも伝達できる。吸収性本体をウエスト開口側に引き上げることにより、吸収性物品が引き下がり難く、フィット性を維持し易くなる。本体非接合領域及び第３弾性部を前胴回り域に設けた構成にあっては、着用者の腹部の膨らみに対して吸収性物品を引き上げることができ、腹部を覆い続け易くなる。
【００３０】
（２）吸収性物品の全体概略構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３１】
吸収性物品は、テープ型であってもよいし、パンツ型であってもよい。吸収性物品は、使い捨ておむつであってもよいし、ショーツ型生理用ナプキンであってよい。第１実施形態の吸収性物品は、パンツ型の使い捨ておむつである。図１は、本実施形態に係る吸収性物品１０の模式正面図である。図２は、本実施形態に係る吸収性物品１０の模式平面図である。図２に示す模式平面図は、後述するサイド接合部６０を展開した状態において吸収性物品１０を皺が形成されない状態まで伸長させた伸長状態を示している。図３は、図２に示すＡ−Ａ線に沿った断面図であり、図４は、図２に示すＢ−Ｂ断面に沿った断面図である。
【００３２】
吸収性物品１０は、互いに直交する前後方向Ｌ及び幅方向Ｗを有する。前後方向Ｌは、身体前側と身体後側とに延びる方向によって規定される。言い換えると、前後方向Ｌは、展開された吸収性物品１０において前後に延びる方向である。また、吸収性物品１０は、前後方向Ｌと幅方向Ｗの両方の直交する厚さ方向Ｔを有する。
【００３３】
吸収性物品１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域である。股下域Ｓ３は、着用者の股下に位置し、前胴回り域Ｓ１と後胴回り域Ｓ２との間に配置された領域である。
【００３４】
本実施形態では、吸収性物品１０は、外装体１５と、吸収性本体４０と、を有していてよい。外装体１５は、吸収性本体４０と厚さ方向に重なっており、少なくとも前胴回り域Ｓ１に配置されている。外装体１５は、前側外装体２０と、後側外装体３０と、を有してよい。前側外装体２０は、前胴回り域Ｓ１において吸収性本体４０の非肌対向面側Ｔ２に配置されている外装体である。後側外装体３０は、前側外装体２０と前後方向Ｌに離間し、かつ後胴回り域Ｓ２において吸収性本体４０の非肌対向面側Ｔ２に配置されている外装体である。
【００３５】
股下域Ｓ３は、後述する脚回り開口部７２（図１参照）が形成された領域である。前胴回り域Ｓ１の股下域側の境界は、脚回り開口部７２の前端縁であり、後胴回り域Ｓ２の股下域側の境界は、脚回り開口部７２の後端縁である。なお、他の実施形態において、外装体１５は、前側外装体２０及び後側外装体３０が一体化され、かつ前胴回り域Ｓ１から後胴回り域Ｓ２に亘って設けられていてもよい。
【００３６】
前側外装体２０及び後側外装体３０は、例えば不織布のようなシートから構成されていてよい。前側外装体２０及び後側外装体３０は、複数の外装シートを有してよい。外装シートは、第１外装シート２５と、第１外装シート２５の非肌対向面側Ｔ２に位置する第２外装シート２６と、を有してよい。
【００３７】
外装体１５は、幅方向に伸縮可能な弾性部材６５を有してよい。弾性部材６５は、例えば、幅方向Ｗに伸縮可能な糸ゴム、又は幅方向Ｗに伸縮可能な弾性シートによって構成されていてよい。本実施の形態の弾性部材６５は、糸ゴムによって構成されており、厚さ方向Ｔにおいて第１外装シート２５と第２外装シート２６の間に配置されている。弾性部材６５は、前後方向Ｌに間隔を空けて複数配置されている。弾性部材６５は、幅方向Ｗに沿って直線状に配置されていてもよいし、幅方向Ｗに傾斜して配置されていてもよい。
【００３８】
弾性部材６５は、後述する第１弾性部６１、第２弾性部６２及び第３弾性部６３を少なくとも含む。第１弾性部６１、第２弾性部６２及び第３弾性部６３は、弾性部材の一部であり、幅方向に伸縮可能な部分である。第１弾性部６１、第２弾性部６２及び第３弾性部６３は、同じ弾性部材の一部であってもよいし、それぞれ異なる弾性部材６５の一部であってもよい。また、第１弾性部６１、第２弾性部６２及び第３弾性部６３は、複数の弾性部材にそれぞれ設けられていてもよいし、１本の弾性部材に設けられていてもよい。
【００３９】
図１に示すように、幅方向Ｗにおける前胴回り域Ｓ１の外側部と、幅方向Ｗにおける後胴回り域Ｓ２の外側部と、を接合したサイド接合部６０が設けられていてよい。図２は、サイド接合部６０における接合を解除し、吸収性物品１０を展開した状態を示している。サイド接合部６０は、前側外装体２０及び後側外装体３０のそれぞれにおいて、前後方向Ｌに沿って延びていてよい。
【００４０】
なお、本発明における外側部とは、幅方向Ｗにおける外縁を含む幅方向Ｗに一定の範囲を占める部分であり、外側縁とは、幅方向Ｗにおける外縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでおり、外端縁は、前端縁及び後端縁を含んでいる。
【００４１】
図１に示すように、サイド接合部６０が形成された状態で、吸収性物品１０には、着用者の胴が通される胴回り開口部７１と、着用者の脚がそれぞれ挿入される一対の脚回り開口部７２と、が形成される。胴回り開口部７１は、前胴回り域Ｓ１の前端縁Ｓ１Ｆである前側外装体の前端縁２０Ｆと、後胴回り域Ｓ２の後端縁Ｓ２Ｒである後側外装体３０の後端縁３０Ｒとによって規定されていてよい。また、脚回り開口部７２は、吸収性本体４０よりも幅方向Ｗの外側に延出した前側外装体２０の後端縁２０Ｒと、吸収性本体４０よりも幅方向Ｗの外側に延出した後側外装体３０の前端縁３０Ｆと、股下域Ｓ３における吸収性本体４０の外側縁４０Ｅと、によって規定されていてよい。
【００４２】
吸収性本体４０は、前側外装体２０と後側外装体３０を跨って配置されている。すなわち、吸収性本体４０は、前胴回り域Ｓ１、後胴回り域Ｓ２及び股下域Ｓ３にわたって延びている。吸収性本体４０は、前側外装体２０及び後側外装体３０とは別体として構成されていてよい。吸収性本体４０は、非肌対向面側Ｔ２に前側外装体２０又は後側外装体３０が配置された領域、外装体１５と厚さ方向Ｔに重なっていない領域を有してよい。
【００４３】
吸収性本体４０は、少なくとも吸収コア５０を含んでいる。吸収コア５０は、例えば粉砕パルプもしくは高吸収性ポリマー（ＳＡＰ）、又はこれらの混合物を含んでいてよい。吸収コア５０は、少なくとも股下域Ｓ３に配置されている。好ましくは、吸収コア５０は、前後方向Ｌにおいて、前胴回り域Ｓ１から後胴回り域Ｓ２にわたって延びていてよい。吸収コア５０は、コアラップによって覆われていてよい。
【００４４】
図２に示すように、吸収性本体４０は、吸収コア５０よりも前後方向の外側に延びる外端部４５を有してよい。外端部４５は、前後方向Ｌにおいて吸収コア５０の前端縁５０Ｆと吸収性本体４０の前端縁４０Ｆの間の領域と、前後方向Ｌにおいて吸収コア５０の後端縁５０Ｒと吸収性本体４０の後端縁４０Ｒの間の領域と、を含む。外端部４５は、幅方向Ｗにおいて吸収性本体４０の一方の外側縁４０Ｅから他方の外側縁４０Ｅまでの領域である。図３及び図４において、外端部４５の前後方向の範囲及び幅方向の範囲を示す。また、吸収性本体４０は、吸収コア５０の幅方向Ｗの中央に位置する中央領域ＣＲを有してよい。中央領域ＣＲは、吸収コア５０の幅方向Ｗの全長を３等分した領域のうち、幅方向Ｗの中央に位置する領域である。
【００４５】
図３及び図４に示すように、吸収性本体４０は、複数のシート材を有してよい。シート材は、液不透過シート４１と、液不透過シート４１と厚さ方向Ｔに重なる本体シート４２と、を少なくとも有してよい。液不透過シート４１及び本体シート４２は、少なくとも外端部４５に配置されてよい。液不透過シート４１及び本体シート４２は、吸収コア５０と重なる領域と外端部４５とに跨がって配置されてもよい。液不透過シート４１は、吸収コア５０よりも非肌対向面側Ｔ２に配置されてよい。本体シート４２は、液不透過シート４１よりも肌対向面側Ｔ１、かつ吸収コア５０よりも肌対向面側Ｔ１に配置された第１本体シート４２Ａと、液不透過シート４１よりも非肌対向面側Ｔ２に配置された第２本体シート４２Ｂと、を有してよい。
【００４６】
本実施の形態の吸収性本体４０の外端部４５では、肌対向面側Ｔ１から非肌対向面側Ｔ２に向かって、第１本体シート４２Ａ、液不透過シート４１、第２本体シート４２Ｂの順で配置されている。本実施の形態の吸収コア５０と重なった領域では、肌対向面側Ｔ１から非肌対向面側Ｔ２に向かって、第１本体シート４２Ａ、吸収コア５０、液不透過シート４１、第２本体シート４２Ｂの順で配置されている。第１本体シート４２Ａと液不透過シート４１は、厚さ方向Ｔにおいて吸収コア５０を挟んで配置されてよい。
【００４７】
液不透過シート４１は、透不液性であればよく、例えば、フィルムによって構成されてよい。液不透過シート４１は、１枚のシートから構成されていてもよい。この代わりに、液不透過シート４１は、複数枚のシートが互いに積層された積層シートから構成されていてもよい。この場合、複数枚のシートのうちの少なくとも１枚が透不液性を有していてよい。
【００４８】
本体シート４２は、透液性であればよく、例えば不織布によって構成されていてよい。本体シート４２は、１枚のシートから構成されていてもよい。この代わりに、本体シート４２は、複数枚のシートが互いに積層された積層シートから構成されていてもよい。
【００４９】
このように構成された吸収性物品は、接合領域と非接合領域を有する。接合領域は、外装体１５と吸収性本体４０が接合された領域、吸収性本体４０の液不透過シート４１及び本体シート４２が接合された領域、及び外装体の外装シート同士が接合された領域を含む。非接合領域は、外装体１５と吸収性本体４０が接合されていない領域、吸収性本体４０の液不透過シート４１及び本体シート４２が接合されていない領域、及び外装体の外装シートが接合されていない領域を含む。次いで、吸収性物品１０の接合領域と非接合領域について説明する。なお、本発明における非接合領域は、接着剤が塗布されていない領域のみならず、接着剤が僅かに塗布されているが、当該接着剤を介して部材同士が接着されていない領域も含むものである。
【００５０】
吸収性物品１０は、吸収性本体４０と外装体１５が接合されていない本体非接合領域ＮＢを有してよい。本体非接合領域ＮＢは、吸収性本体４０を構成するシートのうち、外装体１５と対向して配置されたシートと、外装体１５と、が接合されていない領域であってよい。具体的には、吸収性本体４０の非肌対向面の全面に第２本体シート４２Ｂが配置された形態にあっては、第２本体シート４２Ｂと外装体１５が接合されていない領域であってよい。吸収性本体４０の非肌対向面に第２本体シート４２Ｂ及び液不透過シート４１が配置された形態にあっては、第２本体シート４２Ｂと外装体１５が接合されていない領域と、液不透過シート４１と外装体１５が接合されていない領域と、を含んでよい。
【００５１】
本体非接合領域ＮＢには、弾性部材６５の第１弾性部６１が重なっている。第１弾性部６１は、本体非接合領域ＮＢの少なくとも一部に重なっていてよい。本体非接合領域ＮＢは、第１弾性部６１によって幅方向Ｗに伸縮し、身体にフィットする。本体非接合領域ＮＢの幅方向Ｗの収縮力は、本体非接合領域ＮＢの外端縁から前後方向Ｌの外側に延びる隣接領域ＲＡの幅方向Ｗの収縮力よりも高くてよい。隣接領域ＲＡは、本体非接合領域ＮＢの外端縁から前後方向Ｌの外側に延びる領域である。
【００５２】
収縮力の測定は、以下の方法によって測定できる。まず、測定対象となる試験片を作成する。吸収性物品がサイド接合部を有する場合には、サイド接合部を解除し、吸収性物品を展開する。次に、吸収性物品を皺がない又は皺が最小となるように伸ばした最大伸長状態において、本体非接合領域ＮＢが設けられた領域の前後方向の長さを測定し、その長さ分だけ、本体非接合領域の外端縁から前後方向Ｌの外側にずれた位置に印を付す。この印と本体非接合領域の外端縁との間を隣接領域とする。隣接領域の幅方向の長さは、本体非接合領域の幅方向の長さと同じとする。吸収性物品から本体非接合領域が設けられた領域と隣接領域を切り出す。次に、切り出した各領域の試験片が十分に収縮した状態において、当該試験片の両端部を引張試験器のチャック（挟持具）によって挟持する。次に、幅方向Ｗにおけるチャックの一方を固定した状態で、チャック間の距離を変えるようにチャックのもう一方を１往復分だけ往復移動させる。このときのチャックの移動スピードは、３００ｍｍ／ｍｉｎとする。なお、チャックの移動方向を変えるタイミングは、最大伸長時の９５％の地点とする。チャックの移動中に、チャックに係る応力を測定する。１往復の戻りにおいて最大伸長時から６５％の際に得られた応力を「収縮力」と定義する。
【００５３】
このように構成された吸収性物品１０によれば、吸収性本体４０の非肌対向面側Ｔ２に配置された弾性部材６５によって吸収性本体４０を身体にフィットさせ易くなる。図５は、吸収性物品の装着状態の断面を模式的に示した図であり、着用者の腹部及び吸収性物品の前胴回り域を模式的に示している。図５に示す一点鎖線は、着用者の身体のラインを示している。吸収性物品１０の外端部４５には、本体非接合領域ＮＢが設けられている。本体非接合領域ＮＢは、吸収性本体４０と外装体１５が接合された領域と比較して剛性が低い。当該本体非接合領域ＮＢに重なるように第１弾性部６１が配置されているため、第１弾性部６１の収縮によって吸収性本体４０が収縮し易い。本体非接合領域ＮＢの幅方向Ｗの収縮力が隣接領域ＲＡの幅方向の収縮力よりも高く、本体非接合領域ＮＢは、隣接領域ＲＡよりも収縮し、身体にフィットし易い。本体非接合領域ＮＢが収縮し易いことにより、本体非接合領域ＮＢが設けられた吸収性本体４０の外端部４５を身体にフィットさせることができる。
【００５４】
本体非接合領域ＮＢは、外端部４５の全域に設けられてもよいし、外端部４５の一部に設けられていてもよい。本体非接合領域ＮＢの外端縁は、吸収性本体４０の外端縁に一致してよいし、吸収性本体４０の外端縁よりも前後方向の内側に位置してもよい。本体非接合領域ＮＢの前後方向の内端縁は、吸収コア５０の外端縁よりも前後方向の外側に位置してよいし、吸収コア５０の外端縁に一致してもよい。本体非接合領域ＮＢの外側縁は、吸収性本体４０の外側縁４０Ｅに一致してもよいし、吸収性本体４０の外側縁４０Ｅよりも幅方向Ｗの内側に位置してもよい。なお、本実施の形態の本体非接合領域ＮＢ及び弾性部材６５は、前胴回り域Ｓ１のみに設けられているが、同様に後胴回り域Ｓ２に設けられていてよい。
【００５５】
好適には、本体非接合領域ＮＢの少なくとも一部は、吸収コア５０と前後方向Ｌにおいて重なって配置されてよい。吸収コア５０と前後方向Ｌにおいて重なって配置される領域は、吸収コア５０から前側に向かう力が掛かり易い。当該領域の少なくとも一部に本体非接合領域ＮＢを設けることにより、吸収コアによる影響を抑制しつつ、吸収性本体４０の外端部４５を身体にフィットさせることができる。
【００５６】
より好適には、本体非接合領域ＮＢは、中央領域ＣＲと前後方向Ｌにおいて重なって配置されていてよい。吸収コア５０の幅方向の中央領域ＣＲは、脚によって挟まれた際等に力が集中し易く、中央領域ＣＲと前後方向Ｌにおいて重なって配置される領域は、吸収コア５０の剛性によって収縮し難くなることがある。当該領域の少なくとも一部に本体非接合領域ＮＢを設けることにより、吸収コア５０による影響を抑制しつつ吸収性本体４０の外端部４５を身体にフィットさせることができる。
【００５７】
より好適には、本体非接合領域ＮＢは、吸収コア５０の幅方向Ｗの全域と前後方向において重なって配置されていてよい。吸収コア５０の幅方向Ｗと前後方向Ｌに重なって配置される領域に本体非接合領域ＮＢを設けることにより、吸収性本体４０の外端部４５を、吸収コアによる影響を抑制しつつ身体にフィットさせることができる。
【００５８】
本体非接合領域ＮＢの股下域側の端縁は、厚さ方向において吸収コア５０に重ならないように配置されてよい。すなわち、本体非接合領域ＮＢと吸収コア５０は、前後方向Ｌ又は幅方向Ｗにおいて離間してよい。本体非接合領域ＮＢは、吸収コア５０の影響を受け難く、幅方向Ｗにより収縮し易くなり、外端部がより身体にフィットし易くなる。
【００５９】
弾性部材６５の第１弾性部６１は、前後方向Ｌに間隔を空けて複数設けられてよい。複数の第１弾性部６１によって当該第１弾性部６１が配置された領域全体を身体にフィットさせることができる。１本の第１弾性部６１によって身体にフィットさせる構成と比較して、局所的に密着し難くなり、肌への当たりを和らげることができる。
【００６０】
第１弾性部６１のうち最も収縮力が高い第１弾性部６１は、厚さ方向Ｔにおいて吸収コア５０に重ならないように配置されてよい。最も収縮力が高い第１弾性部６１は、吸収コア５０に重なってなく、吸収コアの剛性によって収縮性を阻害され難い。よって、最も収縮力が高い第１弾性部６１の収縮によって吸収性本体４０の外端部を身体によりフィットさせ易い。
【００６１】
弾性部材６５の第２弾性部を有してよい。第２弾性部６２は、第１弾性部よりも股下域側に配置されている。第２弾性部６２は、本体非接合領域ＮＢよりも股下域側かつ吸収コア５０よりも前後方向Ｌの外側に配置されてよい。第２弾性部６２は、股下域側に湾曲してよい。すなわち、第２弾性部６２は、幅方向Ｗの外側から幅方向Ｗの内側に向かって前後方向の内側に向かって延びてよい。第２弾性部６２は、前後方向Ｌにおいて本体非接合領域と吸収コアの間の領域に配置され、当該領域を幅方向に収縮させ、かつ前後方向に向かって収縮させる。第２伸縮部によって吸収性本体の外端部を胴回り開口側に引き上げることができる。吸収性本体を胴回り開口側に引き上げることにより、吸収性物品が引き下がり難く、フィット性を維持し易くなる。また、本体非接合領域及び第２弾性部を前胴回り域に設けた構成にあっては、着用者の腹部の膨らみに対して吸収性物品を引き上げることができ、腹部を覆い続け易くなる。
【００６２】
吸収性物品１０は、吸収性本体４０と外装体１５を接合した本体接合領域ＡＢが設けられてよい。図４に示すように、本体接合領域ＡＢは、外端部４５において本体非接合領域ＮＢよりも幅方向Ｗの外側に配置されてよい。本体接合領域ＡＢは、本体非接合領域ＮＢの幅方向の両側に配置され、吸収性本体４０の外側縁から内側に延びる領域に設けられてよい。弾性部材６５の第３弾性部６３は、厚さ方向Ｔにおいて本体接合領域ＡＢに重なって配置されてよい。第３弾性部６３は、股下域側に湾曲してよい。すなわち、第３弾性部６３は、幅方向の外側から幅方向の内側に向かって前後方向の内側に向かって延びてよい。第３弾性部６３は、吸収性本体４０の幅方向中心において最も股下域側に位置している。本体接合領域ＡＢに第３弾性部６３が重なり、その第３弾性部６３が股下域側に湾曲しているため、第３弾性部６３によって外装体１５を引き上げ、かつ第３弾性部６３による引き上げる力を吸収性本体４０にも伝達できる。吸収性本体４０を胴回り開口７１側に引き上げることにより、吸収性物品１０が引き下がり難く、フィット性を維持し易くなる。本体非接合領域ＮＢ及び第３弾性部６３を前胴回り域Ｓ１に設けた構成にあっては、着用者の腹部の膨らみに対して吸収性物品を引き上げることができ、腹部を覆い続け易くなる。
【００６３】
第３弾性部６３は、第１弾性部６１よりも幅方向の外側に配置されてよい。第３弾性部６３は、第１弾性部と同じ弾性部材の一部であってもよいし、第２弾性部と同じ弾性部材の一部であってもよい。
【００６４】
吸収性物品１０は、複数の本体シートのうち少なくとも２枚のシート材同士が接合されていないシート非接合領域ＮＳを有してよい。シート非接合領域ＮＳの少なくとも一部は、外端部４５に設けられていてよい。シート非接合領域ＮＳは、外端部４５の全域に設けられてもよいし、外端部４５の一部に設けられていてもよい。シート非接合領域ＮＳは、液不透過シート４１と本体シート４２が接合されていない領域及び本体シート４２同士が接合されていない領域を含んでよい。
【００６５】
シート非接合領域ＮＳ、本体非接合領域ＮＢ、及び第１弾性部６１は、外端部４５において厚さ方向Ｔにおいて重なって配置されてよい。外端部４５には、吸収性本体４０を構成するシート材同士が接合されてなく、かつ吸収性本体４０と外装体１５が接合されていない領域が設けられている。吸収性本体４０の外端部４５にシート非接合領域ＮＳが設けられているため、全ての本体シートが接合されている構成と比較して吸収性本体４０の外端部４５の剛性が低くなり、吸収性本体４０の外端部４５が変形し易い。特に、液不透過シート４１は、フィルム等によって構成され、液透過シートと比較して剛性が高いものが多い。シート非接合領域ＮＳによって液不透過シート４１による剛性を低くすることができ、吸収性本体４０の外端部４５が変形し易くなる。シート非接合領域ＮＳ、本体非接合領域、及び第１弾性部が外端部４５において重なっているため、第１弾性部によって外端部４５がより収縮し易くなり、外端部がより身体にフィットし易くなる。
【００６６】
シート非接合領域ＮＳの外端縁は、吸収性本体４０の外端縁に一致してよいし、吸収性本体４０の外端縁よりも前後方向の内側に位置してもよい。シート非接合領域ＮＳの内端縁は、吸収コア５０の外端縁よりも前後方向の外側に位置してよいし、吸収コア５０の外端縁に一致してもよい。シート非接合領域ＮＳの外側縁は、吸収性本体４０の外側縁４０Ｅに一致してもよいし、吸収性本体４０の外側縁４０Ｅよりも幅方向Ｗ内側に位置してもよい。
【００６７】
吸収性物品１０は、シート非接合領域ＮＳよりも股下域側において液不透過シート４１と本体シート４２が接合されたシート接合領域ＡＳを有してよい。シート接合領域ＡＳは、前後方向においてシート非接合領域ＮＳに隣接している。シート接合領域ＡＳは、シート非接合領域ＮＳにおいて接合されていないシート同士を接合する領域である。
【００６８】
厚さ方向において吸収コア５０を挟み、かつ吸収コア５０と外端部４５を跨ぐシート材間に、シート非接合領域ＮＳが設けられている形態にあっては、シート非接合領域ＮＳの股下域側の内端縁、すなわち、シート接合領域ＡＳの内端縁は、吸収コア５０よりも前後方向の外側に配置されてよい。シート非接合領域ＮＳの内端縁が吸収コア５０よりも前後方向の外側に位置するため、吸収コア５０よりも前後方向の外側にシート接合領域ＡＳが設けられる。シート接合領域ＡＳによって吸収コア５０を構成する吸収材料が吸収性本体４０外へ漏れることを抑制できる。
【００６９】
シート非接合領域ＮＳは、液不透過シート４１が第１本体シート４２Ａに接合されていない領域、液不透過シート４１が第２本体シート４２Ｂに接合されていない領域、及び液不透過シート４１が第１本体シート４２Ａ及び第２本体シート４２Ｂに接合されていない領域のいずれかであってよい。
【００７０】
シート非接合領域ＮＳと本体非接合領域ＮＢの前後方向の位置関係は、限定されない。シート非接合領域ＮＳの前端縁は、本体非接合領域ＮＢの前端縁よりも前側であってもよいし、本体非接合領域ＮＢの前端縁よりも後側であってもよい。シート非接合領域ＮＳの後端縁は、本体非接合領域ＮＢの後端縁よりも前側であってもよいし、本体非接合領域ＮＢの後端縁よりも後側であってもよい。好適には、シート非接合領域ＮＳは、本体非接合領域ＮＢよりも股下域側に延出してよい。液不透過シート４１は、液透過シートと比較して剛性が高いものが多く、シート非接合領域ＮＳは、本体非接合領域ＮＢよりも剛性を低くする効果を得やすい。シート非接合領域ＮＳが本体非接合領域ＮＢよりも股下域側に延出していることにより、吸収性本体４０の外端部がより変形し易く、外端部がより身体にフィットし易くなる。
【００７１】
シート非接合領域ＮＳと本体非接合領域ＮＢの幅方向Ｗの位置関係は、限定されない。シート非接合領域ＮＳの外端縁は、本体非接合領域ＮＢの外側縁よりも外側であってもよいし、本体非接合領域ＮＢの外側縁よりも内側であってもよい。好適には、シート非接合領域ＮＳは、本体非接合領域ＮＢよりも幅方向Ｗの外側に延出してよい。
【００７２】
吸収性物品１０は、外装非接合領域ＮＥを有してよい。外装非接合領域ＮＥは、外装シート同士が接合されていない領域である。外装非接合領域ＮＥは、吸収性本体４０の外端縁よりも前後方向の外側に設けられてよいし、吸収性本体４０と重なるように設けられてよい。外装非接合領域ＮＥ、本体非接合領域ＮＢ、及び第１弾性部６１は、外端部において厚さ方向Ｔにおいて重なって配置されてよい。外装非接合領域ＮＥ、本体非接合領域ＮＢ、及び第１弾性部６１が外端部４５において重なって配置されているため、第１弾性部によって外端部４５がより収縮し易くなり、外端部がより身体にフィットし易くなる。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００７４】
着用者の脚を動きによって前胴回り域における外装体の位置ずれを抑制できる吸収性物品を提供することができる。
【符号の説明】
【００７５】
１０    吸収性物品
１５    外装体
２０    前側外装体
３０    後側外装体
４０    吸収性本体
４１      ：液不透過シート
４２Ａ    ：第１本体シート（本体シート）
４２Ｂ    ：第２本体シート（本体シート）
４５    外端部
５０    吸収コア
６０    サイド接合部
６５    弾性部材
６１    第１弾性部
ＡＢ      本体接合領域
ＡＳ      シート接合領域
ＮＢ      本体非接合領域
ＮＥ      外装非接合領域
ＮＳ      シート非接合領域
Ｓ１    前胴回り域
Ｓ２    後胴回り域
Ｓ３    股下域
Ｌ      前後方向
Ｗ      幅方向
【図１】
2019118471.tif 000003
【図２】
2019118471.tif 000004
【図３】
2019118471.tif 000005
【図４】
2019118471.tif 000006
【図５】
2019118471.tif 000007